(57)【要約】      （修正有）【課題】高価で複雑な装置を用いず、循環している除害液の液量が減少した場合に自動的に除害液を追加し、更に、除害液の液量が適切であるかどうかを監視することが出来る排ガス除害装置を提供する。【解決手段】排ガス除害塔１と除害液供給タンク２を有し、これらを上部気層部は均圧管６、下部液層部は除害液移送管５で結ばれている。また、除害液供給タンク２は内部にボールタップ３及びゲージ４を有し、排ガス除害塔１の除害液が減少した場合、除害液供給タンク２より除害液が供給され、除害液供給タンク２の液量が所定量より減少した場合、ボールタップ３の作動により、除害液導入管７より新たな除害液が導入される。また、ゲージ４を視認することにより、排ガス除害塔１及び除害液供給タンク２の液量が適量であるかどうかを監視することが出来る。【選択図】図１
0003169944.tif 000002
【実用新案登録請求の範囲】
【請求項１】
除害液を噴霧する排ガス除害装置において、排ガス除害塔、除害液供給タンク、除害液移送管及び均圧管からなり、排ガス除害塔と除害液供給タンクは下部で除害液移送管と、上部で均圧管と連結されており、除害液供給タンクはボールタップとゲージが設けられていることを特徴とする排ガス除害装置。
【考案の詳細な説明】
【技術分野】
【０００１】
本考案は、排ガス除害装置において、高価で複雑な装置を用いず、循環している除害液の液量が減少した場合に自動的に除害液を追加し、更に、除害液の液量が適切であるかどうかを監視することが出来る排ガス除害装置に関するものである。
【背景技術】
【０００２】
除害液を循環しながら排ガスに噴霧することで排ガスを除害する排ガス除害装置は多数知られている。（例えば特許文献１）
【０００３】
【特許文献１】実開昭５２−６５１４４号公報
【考案の開示】
【考案が解決しようとする課題】
【０００４】
しかしながら、これら除害装置は、循環している除害液量が減少した場合、自動的に除害液を追加する機能自身がなかったり、あったとしても電気的なセンサーや電磁弁等を使用し、装置及び装置取り付けのコストが高くなる傾向があった。また、除害液が適量であるかどうかを確認する為、除害装置本体にゲージを設けることで除害液量を確認するものは多々知られているが、これらの場合、循環している除害液が汚れてくると、この汚れがゲージ部で詰まりゲージが使用できなくなったり、汚れによりゲージの指示値が視認しにくくなる為に頻繁にゲージを取り外して洗浄する必要があった。
【課題を解決するための手段】
【０００５】
本考案は、上記課題を解決するものであって、排ガス除害装置本体とは別に除害液を供給するタンクを設け、前記タンクはボールタップとゲージを内装することで、除害液が減少すればボールタップを経由して除害液を補充し、さらにゲージにより除害液量が適切であるかどうかを監視できるようにした排ガス除害装置である。
【考案の効果】
【０００６】
本考案の排ガス除害装置によると、除害液が減少した場合はボールタップにより、自動的に除害液を追加することが出来、更に、除害液を供給するタンク側にゲージを設けた事により、除害液の汚れによりゲージ部で詰まりが生じたり、ゲージの指示値が視認しにくくなるといった問題を回避することが出来る。
【考案を実施するための最良の形態】
【０００７】
排ガス除害塔１と除害液を供給する除害液供給タンク２を有し、排ガス除害塔１と除害液供給タンク２は上部を均圧管６、下部を除害液移送管５で結ばれている。
【０００８】
除害液供給タンク２には、ボールタップ３及びゲージ４を有し、排ガス除害塔１の除害液が減少した場合、除害液供給タンク２より除害液移送管５を通じ新しい除害液が供給され、さらに、除害液供給タンク２の液量が所定の液量より下回った場合、ボールタップ３が作動して新しい除害液が所定の液量まで追加される。
【０００９】
また、除害液タンク供給２に取り付けられたゲージ４により、排ガス除害塔１及び除害液供給タンク２の液量が適量であるかどうかを監視することが出来る。
【００１０】
排ガス除害塔１は、除害液を噴霧、循環させることにより、導入された排気ガスを除害する装置であればどのような装置であっても良い。排ガス除害塔１の上部、気層部には除害液供給タンク２と均圧となるように均圧管６を設け、更に、下部、液層部には除害液供給タンク２より除害液を導入できるよう、除害液移送管５を接続する。
【００１１】
除害液供給タンク２は除害液を蓄積できるものであればどのような形状、材質のものであっても良い。この除害液供給タンク２の上部、気層部には排ガス除害塔１と均圧となるように均圧管６を設け、更に、下部、液層部には排ガス除害塔１へ除害液を導入できるよう、除害液移送管５を接続する。さらに、除害液供給タンクの適切な箇所に、除害液導入管７とボールタップ３を取り付けた上、適切な箇所にゲージ４を有している。
【００１２】
ボールタップ３は、フロートを有し、フロート部が所定の位置より下に来た場合、自動的に除害液導入管７より除害液を導入し、フロート部が所定の位置に戻った際には除害液の導入が止まるという構造のものであればどのようなものでも良い。
【００１３】
ゲージ４は除害液タンク２より引き出され、液量を確認できる形状のものであればどのようなものでも良い。また、その取り付け位置は、排ガス除害塔１及び除害液供給タンク２の液量が適量であるかどうかを監視できる位置であればどのような場所でも良い。必要に応じ、ゲージの周りに「上限：ボールタップ点検」「適正」「下限：均圧管点検」等といった注意表示を設けることも出来る。
【００１４】
以上詳述したように本考案の排ガス除害装置を用いる事によって、複雑で高価な装置や特別な設置場所を必要とせず、除害液が減少した場合はボールタップにより、自動的に除害液を追加することが出来、更に、除害液を供給するタンク側にゲージを有していることから、除害液の汚れによりゲージ部で詰まりが生じたり、ゲージの指示値が視認しにくくなるといった問題を回避しながら、排ガス除害塔１及び除害液供給タンク２の液量が適量であるかどうかを監視することが出来る。
【図面の簡単な説明】
【００１５】
【図１】本考案の排ガス除害装置の具体的一実施例の正面図である。
【実施例】
【００１６】
以下添付図に従って、一実施例を説明する。本考案に係る排ガス除害装置は、例えば、図１に示すとおり、排ガス除害塔１と除害液供給タンク２を有し、これらを上部気層部は均圧管６、下部液層部は除害液移送管５で結ばれている。また、除害液供給タンク２は内部にボールタップ３及びゲージ４を有し、排ガス除害塔１の除害液が減少した場合、除害液供給タンク２より除害液が供給され、除害液供給タンク２の液量が所定量より減少した場合、ボールタップ３の作動により、除害液導入管７より新たな除害液が導入される。また、ゲージ４を視認することにより、排ガス除害塔１及び除害液供給タンク２の液量が適量であるかどうかを監視することが出来る。
【符号の説明】
【００１７】
１                    ：排ガス除害塔
２                    ：除害液供給タンク
３                    ：ボールタップ
４                    ：ゲージ
５                    ：除害液移送管
６                    ：均圧管
７                    ：除害液導入管
【図１】
0003169944.tif 000003